(57)【要約】【課題】  本発明は、磁気層へ個別情報を書き込む際、或いは顔写真等の画像を形成する際には、１枚のカードとして処理することができ、その後２枚のカードに分離して使用することができる分離できるカードに関する。【解決手段】  ２枚の磁気カードの磁気層が形成されていない面間、ないしは磁気カードの磁気層が形成されていない面とプラスチックカード面間を、易剥離性フィルムを介して分離可能に接着した構成の分離できるカードである。【選択図】    図１
2005313438.tif 000002
【特許請求の範囲】
【請求項１】
片面に磁気層が形成された２枚の磁気カードが、磁気層が形成されていない面にて易剥離性フィルムを介して分離可能に接着された構成からなることを特徴とする分離できるカード。
【請求項２】
片面に磁気層が形成された磁気カードとプラスチックカードが、磁気カードの磁気層が形成されていない面にて易剥離性フィルムを介して分離可能に接着された構成からなることを特徴とする分離できるカード。
【請求項３】
前記磁気カードの磁気層が形成された面に個別情報が形成されていることを特徴とする請求項１または２記載の分離できるカード。
【請求項４】
前記２枚のカードのいずれか一方の角部に切欠が形成されている構成からなることを特徴とする請求項１〜３のいずれかに記載の分離できるカード。
【請求項５】
接着された２枚のカードの全体の厚さが０．６８〜０．８４ｍｍとされていることを特徴とする請求項１〜４のいずれかに記載の分離できるカード。
【発明の詳細な説明】
【技術分野】
【０００１】
本発明は、磁気層へ個別情報を書き込む際、及び顔写真等の画像を形成する際には、１枚のカードとして処理することができ、その後２枚のカードに分離して使用することができる分離できるカードに関する。
【背景技術】
【０００２】
従来、分離できるカードとしては、接着面に再接着可能なタック糊層を設けたカードゲームシールと宛先シールをそれぞれプレミアムカードと案内カードに剥離可能に接着し、更に前記シールを接着していない前記カードの対向面に圧着用透明フィルムがそれぞれ貼着されており、前記フィルム同志が熱圧着により疑似接着され再接着不能とした構成の多層型情報カード（例えば、特許文献１参照）、ないしは、一方の面にはカードの名称またはカードの名称を表すロゴが印刷され、他方の面にはスキャナーにより読み取ることのできるバーコードが印刷され、折り曲げることにより分離可能に一体的に連結された親カードおよび１又は複数の子カードと、親カードおよび子カードの双方に設けられた会員本人を表す同一のバーコードおよび同一の認識番号と、親カードに剥離可能に貼り付けられ、同一のバーコードと同一の認識番号が印刷されたシールからなる会員カード（例えば、特許文献２参照）が知られている。
【特許文献１】実用新案登録公報第２５８６９０８号
【特許文献２】登録実用新案公報第３０７３８６０号
【０００３】
しかしながら、前者の多層型情報カードでは、疑似接着され再接着不能とされた２枚のカードは、カードゲームシールが貼着されたプレミアムカードと、宛先シールが貼着された案内カードからなるものであって、疑似接着され再接着不能とされたカードがいずれも磁気層を備えたものではなく個人情報を記録して会員カード等として利用することができないという問題がある。また、後者の会員カードでは、折り曲げることにより分離可能に一体的に連結された親カードおよび１又は複数の子カードからなるカードであるため、汎用のカード発行機を使用して発行することができないという問題がある。
【発明の開示】
【発明が解決しようとする課題】
【０００４】
本発明の目的は、２枚の磁気カード、又は磁気カードとプラスチックカードが分離可能に接着された構成の分離できるカードを提供することである。
【課題を解決するための手段】
【０００５】
片面に磁気層が形成された２枚の磁気カードが、磁気層が形成されていない面にて易剥離性フィルムを介して分離可能に接着された構成の分離できるカードである。
【０００６】
片面に磁気層が形成された磁気カードとプラスチックカードが、磁気カードの磁気層が形成されていない面にて易剥離性フィルムを介して分離可能に接着された構成の分離できるカードである。
【０００７】
前記磁気カードの磁気層が形成された面に個別情報が形成されている構成である。
【０００８】
前記２枚のカードのいずれか一方の角部に切欠が形成されている構成である。
【０００９】
接着された２枚のカードの全体の厚さが０．６８〜０．８４ｍｍとされている構成である。
【発明の効果】
【００１０】
請求項１にかかる発明では、磁気層へ個別情報を書き込む際、及び顔写真等の画像を形成する際には、１枚のカードとして処理することができるので、同一のデータが記録された２枚のカードをセットで発行するのがきわめて容易となるので、同一データが記録された２枚のカードを別々に発行して後で２枚のカードをマッチングさせる方法と比較して磁気カードの発行効率を向上させることができる。また、発行した２枚の磁気カードをマッチングさせる必要がなくなるので、マッチングミスの発生を防止できる。
【００１１】
請求項２にかかる発明では、磁気カードの発行時に磁気カードにプラスチックカードをベタ付けすることができ、使用時に磁気カードとプラスチックカードに分離できるので、プラスチックカードをキャンペーンカード、プレミアムカード、抽選カード等とすることにより、顧客へのサービスをアップすることが可能となる。
【００１２】
請求項３にかかる発明では、磁気カードに本人の写真等の画像層を形成することよりＩＤカードとして使用するのに適した磁気カードとすることができる。
【００１３】
請求項４にかかる発明では、切欠をきっかけにして２枚のカードを剥離させて分離するのが容易となる。
【００１４】
請求項５にかかる発明では、２枚の磁気カード又は磁気カードとプラスチックカードが接着された分離できるカードを汎用のカード発行機を使用して発行することができる。
【発明を実施するための最良の形態】
【００１５】
以下、図面に基づいて本発明の実施の形態を説明する。
図１は本発明の第１実施形態を示す平面図、図２は図１のＩ−Ｉ線断面図、図３は本発明の第２実施形態を示す平面図、図４は図３のII−II線断面図であり、１，２，３は磁気カード、４はプラスチックカード、５は易剥離性フィルム、６，6'は切欠、11，13，21，23，31，33はオーバーシート層、12，22，32はコアー層、14，24，34は磁気層、15，25，35は画像層、16はバーコード、41は印刷層をそれぞれ表す。
【００１６】
本発明の分離できるカードの第１実施形態は図１、図２に示すとおりである。コアー層12の両面にオーバーシート層11,13 が積層されオーバーシート層11面に磁気層14と画像層15とバーコード16が形成された磁気カード１と、コアー層22の両面にオーバーシート層21,23 が積層されオーバーシート層21面に磁気層24と画像層25が形成された磁気カード２とが、磁気カード１のオーバーシート層13面と磁気カード２のオーバーシート層23面間が剥離性フィルム５を介して分離可能に接着され、磁気カード１の角部の近傍にＶ字状の切欠６が形成された構成である。磁気カード１，２のオーバーシート層11，13，21，23には必要により任意の絵柄層を形成してもよい。易剥離性フィルム５は、外面が磁気カード１のオーバーシート層13及び磁気カード２のオーバーシート層23に完全に接着するとともに層間にて簡単に剥離する構成となっているので、Ｖ字状の切欠６の箇所を軽く曲げることにより易剥離性フィルム５を層間剥離させことができるので、接着された２枚の磁気カード１，２は簡単に分離することができる。
【００１７】
第１実施形態の分離できるカードは、カード発行機に通すことにより、２枚の磁気カードにそれぞれ個別情報を記録することができ、また、画像形成装置に通すことにより、接着された２枚の磁気カードに顔写真等の画像を形成することができるので、個別情報が記録されるとともに画像が形成された２枚の磁気カードを１枚のカードとして発行することができる。発行された２枚が接着された磁気カードを剥離させて分離することより、それぞれ個別情報及び画像が記録された２枚の磁気カードが得られる。得られた２枚の磁気カードの用途としては、ホテル等のカードキー、会員カードとして利用できる。ホテル等のカードキーとして使用する場合は、１枚をカードキーとして宿泊客に渡し、他の一枚をホテル側がスペアカードキーとして保管する方法で利用でき、会員カードとして使用する場合は、１枚を本人用とし、他の一枚を家族用として利用できる。
【００１８】
本発明の分離できるカードの第２実施形態は、図３、図４に示すとおりである。コアー層32の両面にオーバーシート層31,33 が積層されオーバーシート層31面に磁気層34と画像層35が形成された磁気カード３のオーバーシート層33面に、プラスチックカード４が剥離性フィルム５を介して分離可能に接着され、プラスチックカード４の表面にはキャンペーン情報やプラスチックカード４の利用方法を表示した印刷層41が形成され、プラスチックカード４の角部に切欠6'が形成されている構成である。第２実施形態においても、切欠6'の箇所を軽く曲げることにより、易剥離性フィルム５を層間で剥離させて磁気カード３とプラスチックカード４を簡単に分離することができる。
【００１９】
第２実施形態の分離できるカードは、カード発行機を通し、個別情報を記録して磁気カード３を発行する際に、磁気カード３にプラスチックカード４が分離可能に接着されているので、磁気カード３にプラスチックカード４をベタ付けすることが可能となり、磁気カード３を発行した顧客にもれなくプラスチックカード４を提供することができる。発行された磁気カード３から分離したプラスチックカード４は、宣伝広告用カード、キャンペーン用カード、当たり外れを印刷したくじカード、クーポン券用カード等として顧客へのサービスカードとして利用することができる。また、プラスチックカード４に初回のみのパスワードであるワンタイムパスワードを印字しておき、通常利用は磁気カード３を利用する用途にも使用できる。
【００２０】
磁気カードを構成する、コアー層12，22，32の厚を０．２７〜０．２９ｍｍとし、オーバーシート層11，13，21，23の厚さを０．０５ｍｍ前後とし、オーバーシート層31，33の厚さを０．１０ｍｍ前後とし、プラスチックカードの厚さを０．２７〜０．２９ｍｍとするのが好ましい。上記の厚さとすることにより、接着された分離できるカードの全体の厚さを０．６８〜０．８４ｍｍとすることができるので、汎用のカード発行機及び画像形成装置を使用して磁気カードに個別情報を記録するとともに顔写真等の画像を形成することができる。      
【００２１】
易剥離性フィルムとしては、２枚の磁気カードの磁気層が形成されていない面間、ないしは磁気カードの磁気層が形成されていない面とプラスチックカード間に、易剥離性フィルムを挿入して熱圧着することにより、磁気カードのオーバーシート層ないしはプラスチックカードと易剥離性フィルムが接着し、易剥離性フィルムが層間で剥離して接着された２枚のカードを分離できる構成のものが使用できる。上記の易剥離性フィルムとしては、例えば、特開２０００−２６３７１６号公報に記載されているような、共重合ポリエステル等の樹脂からなる第１ポリマー層と、第１ポリマー層と非相溶なエチレン共重合ポリプロピレン等の樹脂からなる第２ポリマー層からなり、第１ポリマー層と第２ポリマー層と第１ポリマー層とが順に積層された３層構成からなり、２層間の接着力が０．１〜２０ｇ／ｃｍの範囲にあり、第１ポリマー層の厚さが１〜５μｍであり、かつ第２ポリマー層の厚さが６〜５０μｍである構成の易剥離性フィルム等が使用できる。
【００２２】
本発明の実施形態においては、層間で剥離する易剥離性フィルムを２枚のカードの磁気層が形成されていない面間に挿入して２枚のカードを熱圧着することにより分離可能に接着する構成としたが、２枚のカードの磁気層が形成されていない面間に厚さが１２〜５０μｍの２軸延伸ポリエチレンテレフタレートフィルムを挿入して１１０〜１２０℃で２分間程度熱圧着することにより、２枚のカードを分離可能に接着することができる。この場合は、カードを分離した際に、２軸延伸ポリエチレンテレフタレートフィルムをカードから剥離させて除去することになる。２軸延伸ポリエチレンテレフタレートフィルムをどちらかのカードに接着させて残したい場合は、２軸延伸ポリエチレンテレフタレートフィルムの一方の面に接着層を設けるようにすればよく、その場合は、切欠が形成されたカード面で剥離させるようにする。
【００２３】
磁気カードを構成するコアー層、オーバーシート層として使用できる樹脂は、剛性があり強度的に優れた熱可塑性樹脂であれば特に限定されないが、ポリ塩化ビニル、ポリエチレンテレフタレート、ポリブチレンテレフタレート、ＰＥＴ−Ｇ等の共重合ポリエステル樹脂、ＡＢＳ樹脂等が使用できる。プラスチックカードを構成する樹脂としては、ポリ塩化ビニル、ポリプロピレン、ポリスチレン、ＰＥＴ−Ｇ等の共重合ポリエステル樹脂、ＡＢＳ樹脂等が使用できる。
【００２４】
第１実施形態の分離できるカードの製造方法は、表面の所定位置に磁気ストライプが積層されたオーバーシート層とコアー層とオーバーシート層とを積層して磁気シート用基材を作製する。作製された２枚の磁気シート用基材の一方に、打ち抜かれて磁気カードとされた際に角部となる位置に所定形状の切欠を設けた後に、他方の磁気シート用基材と、磁気シート用基材の磁気ストライプが積層されていない面同志が対向するように、２枚の磁気シート用基材の見当を合わせて重ね合わせ、２枚の磁気シート用基材間に易剥離性フィルムを挟んで熱プレスして積層して２枚の磁気カード基材を接着して積層する。次いで、所定位置にてカード形状に打ち抜くことにより２枚の磁気カードからなる分離できるカードを作製することができる。第２実施形態の分離できるカードの製造方法は、磁気ストライプが積層された磁気シート用基材の磁気ストライプが形成されていない面に、所定の印刷が施されるとともに所定位置に切欠が形成されたプラスチックシートを見当を合わせて重ね合わせ、磁気シート用基材とプラスチックシート間に易剥離性フィルムを挟んで熱プレスして接着した後に、所定位置にてカード形状に打ち抜くことにより、磁気カードとプラスチックカードからなる分離できるカードを作製することができる。
【００２５】
カードを分離し易くするための切欠の代わりに、オーバーシート層の外面のカードが作製された際に角部となる領域にシリコーンを含むインキを使用して非接着層を予めパターン状に印刷しておくこともできる。また、カードを作製した後に、カードの角部となる領域に０．４０〜０．４８ｍｍの高さのエンボス加工を施してもよく、エンボスはカードの発行と同時に行うことができる。
【図面の簡単な説明】
【００２６】
【図１】本発明の第１実施形態を示す平面図。
【図２】図１のＩ−Ｉ線断面図。
【図３】本発明の第２実施形態を示す平面図。
【図４】図３のII−II線断面図。
【符号の説明】
【００２７】
１，２，３  磁気カード
４  プラスチックカード
５  易剥離性フィルム
６，6'  切欠
11，13，21，23，31，33  オーバーシート層
12，22，32  コアー層
14，24，34  磁気層
15，25，35  画像層
16  バーコード
41  印刷層
【図１】
2005313438.tif 000003
【図２】
2005313438.tif 000004
【図３】
2005313438.tif 000005
【図４】
2005313438.tif 000006